【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
プリントバーと、該プリントバーとは別個の、ピボット運動するように取り付けられたクリーナとを有する、複数のインクジェットヘッドをクリーニングする装置において、
前記プリントバーが印刷位置からクリーニング位置へピボット運動できるようにする第１のピボットカプリングを有し、前記クリーナは、前記クリーニング位置にある前記プリントバーに隣接したクリーニング位置へと、前記プリントバーとは独立して、ピボット運動することを特徴とする、インクジェットヘッドをクリーニングする装置。
【請求項２】
前記ピボットカプリングは前記プリントバーが前記クリーナの近傍のクリーニング位置へとピボット運動するのを可能にする、請求項１に記載の装置。
【請求項３】
前記プリントバーは第１の支持部材にピボット運動するように固定され、前記クリーナは、前記クリーナが、クリーニング位置にある前記プリントバーに隣接したクリーニング位置からアイドル位置へと調節するのを可能にする第２の支持部材に、前記プリントバーとは独立して、ピボット運動するように連結され、前記第１の支持部材は前記第２の支持部材に対して固定されている、請求項２に記載の装置。
【請求項４】
前記プリントバーと前記第１の支持部材は、前記プリントバーが前記印刷位置にあるときに連結、すなわち係合する嵌め合い部を有している、請求項３に記載の装置。
【請求項５】
前記プリントバーが前記印刷位置にあるときに、前記プリントバーをウェブに対して位置合わせするプリント支持部を有している、請求項１に記載の装置。
【請求項６】
前記プリントバーと前記支持部は、前記プリントバーが前記印刷位置にあるときに連結、すなわち係合する嵌め合い部を有し、および/または前記プリントバーと前記クリーナは、前記プリントバーが前記クリーニング位置にあるときに連結する、すなわち係合する嵌め合い部を有している、請求項４に記載の装置。
【請求項７】
前記プリントバーに取り付けられているプリントヘッドが、前記プリントバーが前記印刷位置にあるときに、インクをウェブに対して実質的に垂直に噴射する、請求項１に記載の装置。
【請求項８】
前記プリントバーは、前記印刷位置にあるときに、ウェブに実質的に平行であり、および/または前記プリントバーは、前記クリーニング位置にあるときに、ウェブに実質的に平行ではない、請求項１に記載の装置。
【請求項９】
前記クリーナは、前記プリントバーと前記クリーナとがそれぞれの前記クリーニング位置にあるときに、真空を使用して前記プリントバーをクリーニングする、請求項１に記載の装置。
【請求項１０】
前記クリーナは、前記プリントバーと前記クリーナとがそれぞれの前記クリーニング位置にあるときに、真空を使用し、あるいは使用せずに、クリーニング液体、特に溶剤を使用して前記プリントバーをクリーニングする、請求項１に記載の装置。
【請求項１１】
前記クリーナは、前記プリントバーにわたって延びている、請求項２に記載の装置。
【請求項１２】
請求項１に記載の装置を有していることを特徴とする、シングルパス、ウェブベースの印刷ステーション。
【請求項１３】
前記クリーナは、前記プリントバーと前記クリーナとが各々それぞれの前記クリーニング位置にあるときに、前記プリントバーに取り付けられている前記複数のプリントヘッドをクリーニングするように配置されている、請求項３に記載の装置。
【請求項１４】
前記プリントバーをピボット運動させる駆動部と、前記クリーニングバーをピボット運動させる駆動部と、前記両駆動部を制御する、特にコントローラとを有している、請求項１に記載の装置。
【請求項１５】
プリントバーに取り付けられている複数のプリントヘッドを、請求項１から１４のいずれか１項に記載の装置を用いてクリーニングする方法であって、
前記プリントバーを印刷位置からクリーニング位置へピボット運動させることと、
前記クリーナをアイドル位置から前記クリーニング位置へピボット運動させることと、
前記プリントバーに取り付けられている前記複数のプリントヘッドをクリーニングすることと、
を有する方法。
【手続補正２】
【補正対象書類名】明細書
【補正対象項目名】０００５
【補正方法】変更
【補正の内容】
【０００５】
一般に、第１の態様では、本発明は、プリントバーと、該プリントバーとは別個の、ピボット運動するように取り付けられたクリーナとを有する、インクジェットヘッドをクリーニングする装置において、プリントバーが印刷位置からクリーニング位置へピボット運動できるようにする第１のピボットカプリングを有し、クリーナは、クリーニング位置にあるプリントバーに隣接したクリーニング位置へと、プリントバーとは独立して、ピボット運動することを特徴とする。
【手続補正３】
【補正対象書類名】明細書
【補正対象項目名】０００７
【補正方法】変更
【補正の内容】
【０００７】
本装置は、ピボットカプリングが、プリントバーがクリーナの近傍のクリーニング位置まで（たとえば約９０°）ピボット運動できるようにする。さらに、本装置は、プリントバーは第１の支持部材にピボット運動するように固定され、クリーナは、クリーナが、クリーニング位置にあるプリントバーに隣接したクリーニング位置からアイドル位置へと調節するのを可能にする第２の支持部材に、プリントバーとは独立して、ピボット運動するように連結され、第１の支持部材は前記第２の支持部材に対して固定されている。プリントバーと第１の支持部は、プリントバーが印刷位置にあるときに連結、すなわち係合する嵌め合い部を有している。本装置は、プリントバーが印刷位置にあるときに、プリントバーをウェブに相対的に位置合わせするプリント支持部を有していてもよい。プリントバーと第１の支持部は、プリントバーが印刷位置にあるときに連結、すなわち係合する嵌め合い部を有し、および/またはプリントバーとクリーナは、プリントバーがクリーニング位置にあるときに連結する、すなわち係合嵌め合い部を有している。プリントバーに取り付けられているプリントヘッドが、プリントバーが印刷位置にあるときに、インクをウェブに対して実質的に垂直に噴射する。プリントバーは、印刷位置にあるときに、ウェブに実質的に平行であり、および/またはプリントバーは、クリーニング位置にあるときに、ウェブに実質的に平行ではない。クリーナは、プリントバーとクリーナがそれぞれのクリーニング位置にあるときに、真空を使用してプリントバーをクリーニングすることができる。クリーナは、プリントバーとクリーナとがそれぞれのクリーニング位置にあるときに、真空を使用し、あるいは使用せずに、クリーニング用液体（たとえば溶剤）を使用してプリントバーをクリーニングしてもよい。クリーナは、プリントバーにわたって延びていてもよい。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１３
【補正方法】変更
【補正の内容】
【００１３】
クリーナは、プリントバーとクリーナとが各々それぞれのクリーニング位置にあるときに、プリントバーに取り付けられている複数のプリントヘッドをクリーニングするように配置されていてもよい。
【手続補正８】
【補正対象書類名】明細書
【補正対象項目名】００１４
【補正方法】変更
【補正の内容】
【００１４】
本装置は、プリントバーをピボット運動させる駆動部と、クリーニングバーをピボット運動させる駆動部と、両駆動部を制御する、特にコントローラを有していてもよい。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
一般に、他の態様では、本発明は、プリントバーに取り付けられている複数のプリントヘッドを、前記装置のいずれか１つを用いてクリーニングする方法を特徴としている。この方法は、プリントバーを印刷位置からクリーニング位置へピボット運動させることと、クリーナをアイドル位置からクリーニング位置へピボット運動させるステップことと、プリントバーに取り付けられている複数のプリントヘッドをクリーニングすることとを有している。小さい物理空間内で行うことが可能である。